(57)【要約】【課題】内容物に関する効能、連絡先等の情報を付して提供でき、一部試用等した場合にも当該情報の入れ違いが起きず、名刺としても使えるプラスチック製ボトルを提供する。【解決手段】プラスチック製ボトル１０は、内容物を出し入れする口部１１に着脱可能なキャップ２１，２２を装着して香水、化粧水等の試供用液体を収納するためのもので、口部１１の軸方向に伸びる様に形成された直方体形状のボトル本体１２と、ボトル本体１２から上方に向かって連続し、ボトル本体１２と連通した薄肉平板状中空部１３を構成する長方形のプレート状収容部１４とを備え、背面１７の縦横寸法を名刺サイズと一致させてある。【選択図】  図１
2014005068.tif 000002
【特許請求の範囲】
【請求項１】
内容物を出し入れする口部に着脱可能なキャップを装着され、以下の構成を備えていることを特徴とするプラスチック製ボトル。
（Ａ１）前記口部の軸方向に伸びる様に形成されたボトル本体と、該ボトル本体から所定方向に向かって連続し、前記ボトル本体と連通した薄肉平板状の中空部を構成するプレート状収容部とを備えていること。
【請求項２】
さらに、以下の構成をも備えていることを特徴とする請求項１記載のプラスチック製ボトル。
（Ａ２）前記ボトル本体は、前記プレート状収容部の反対側を、該プレート状収容部と直交する平坦面とされていること。
【請求項３】
さらに、以下の構成をも備えていることを特徴とする請求項１又は２記載のプラスチック製ボトル。
（Ａ３）前記ボトル本体と前記プレート状収容部は、前記口部の反対側を面一の平坦面とされていること。
【請求項４】
さらに、以下の構成をも備えていることを特徴とする請求項１〜３のいずれか記載のプラスチック製ボトル。
（Ａ４）前記ボトル本体と前記プレート状収容部とは、それぞれの背面が面一となる平坦面とされていること。
【請求項５】
さらに、以下の構成をも備えていることを特徴とする請求項１〜４のいずれか記載のプラスチック製ボトル。
（Ａ５）前記ボトル本体及び前記プレート状収容部が、透明プラスチックによって形成されていること。
【請求項６】
請求項１〜請求項４のいずれか記載のプラスチック製ボトルを製造するために、以下の構成を採用したことを特徴とするプラスチック製ボトルの製造方法。
（Ｂ１）エア吹き込み口を左右一方端に形成すると共に、該エア吹き込み口の軸線と中心を一致させて前記ボトル本体の外形に対応する本体部キャビティと、該本体部キャビティの一方に連続し、前記プレート状収容部の外形に対応する平板状キャビティとを備えた成形用金型を用いてダイレクトブロー成形法によって製造すること。
【請求項７】
さらに、以下の構成をも備えていることを特徴とする請求項６記載のプラスチック製ボトルの製造方法。
（Ｂ２）前記成形用金型として、前面又は背面の少なくとも一方を入れ子金型とした金型を用いること。
【発明の詳細な説明】
【技術分野】
【０００１】
本発明は、プラスチック製ボトルに係り、特に、試供品ボトルとしての利用に適するプラスチック製ボトル及びその製造方法に関するものである。
【背景技術】
【０００２】
従来、図７（Ａ）に示す様に、「３つ折りによって表紙部分，背表紙部分，裏表紙部分を構成するシート状体と、発泡プラスチック製厚板とを備え、全体が本形状になっていて、発泡プラスチック製厚板の表面にサンプル収納用の切欠きが形成され、この切欠き内にサンプルを嵌入保持することで、サンプルの効能を充分かつ効果的に説明することにより消費者に強くそれを印象づけることができ、しかもサンプルの保管にも適したサンプルケースを提供する」という提案がある（特許文献１）。
【０００３】
また、図７（Ｂ）に示す様に、「一枚の略長方形状の台紙を所定の形状になるよう折り重ねてなるサンプル収納具であって、女性モデル写真および見出しが表示された台部と、説明書きが表示された折り返し部との間に、薄型サンプル収納部を形成して薄型サンプルを収納する」という提案もある（特許文献２）。
【先行技術文献】
【特許文献】
【０００４】
【特許文献１】実開平６−１４０６９号（要約、図１）
【特許文献２】特開２００１−１４６２５９号（要約、図１）
【発明の概要】
【発明が解決しようとする課題】
【０００５】
これら従来技術は、説明付きでの試供品の提供に好適ではあるが、例えば、陳列棚等に香りのサンプル等として供する場合に、試供品を戻し間違えると、折角の説明書き等が役に立たなくなるという問題がある。
【０００６】
そこで、本発明は、内容物に関する効能、連絡先等の情報を付して提供することができ、かつ、一部試用等した場合にも当該情報の入れ違いが起きない様にしたプラスチック製ボトルを提供することを第１の目的とし、さらに、第１の目的を達成しつつ陳列に適したプラスチック製ボトルを提供することを第２の目的とする。
【課題を解決するための手段】
【０００７】
上記第１の目的を達成するためになされた本発明のプラスチック製ボトルは、内容物を出し入れする口部に着脱可能なキャップを装着され、以下の構成を備えていることを特徴とする。
（Ａ１）前記口部の軸方向に伸びる様に形成されたボトル本体と、該ボトル本体から所定方向に向かって連続し、前記ボトル本体と連通した薄肉平板状の中空部を構成するプレート状収容部とを備えていること。
【０００８】
本発明のプラスチック製ボトルによれば、プレート状収容部の前面又は背面に、内容物に関する効能、連絡先等の情報を印刷したり、貼付したり、彫刻したりすることができる。この結果、情報と分離することなく使用することができ、一部使用して陳列棚等に戻したり鞄に保管したときにも、その後の情報の入れ違いが生じない。また、ボトル本体とプレート状収容部とを連通させているので、ダイレクトブロー成形によって一体成形することが可能となり、部品の接合等の作業なしに製造することができる。また、ボトル本体とプレート状収容部とが連通しているので、非対称形状であってもブロー成形時の内圧をプレート状収容部も受けるから金型形状を精度よく反映させることができる。
【０００９】
ここで、本発明のプラスチック製ボトルは、さらに、以下の構成をも備えることにより、上記第２の目的をも達成することができる。
（Ａ２）前記ボトル本体は、前記プレート状収容部の反対側を、該プレート状収容部と直交する平坦面とされていること。
【００１０】
かかる構成をも備えることにより、プレート状収容部を直立させた状態にして陳列棚等に並べることができる。このとき、下側がボトル本体となるので、重心が低くなり、特に、内容物を収納することで安定した状態に置くことができる。
【００１１】
また、これら本発明のプラスチック製ボトルは、さらに、以下の構成をも備えることにより、口部を上にして直立させた状態に陳列することもできる。
（Ａ３）前記ボトル本体と前記プレート状収容部は、前記口部の反対側を面一の平坦面とされていること。
【００１２】
さらに、これら本発明のプラスチック製ボトルは、さらに、以下の構成をも備えることにより、背面を下にして安定して陳列することができ、平坦な背面に名刺情報を印刷してサンプルボトル付き名刺とすることもできる。
（Ａ４）前記ボトル本体と前記プレート状収容部とは、それぞれの背面が面一となる平坦面とされていること。
【００１３】
さらに、これら本発明のプラスチック製ボトルは、さらに、以下の構成をも備えることにより、内容物を目視確認できる状態とでき、内容物に色がついている場合にも、プレート状収容部は薄肉中空であるから、色が薄くなって裏面側に情報を付した場合もその視認性を損なうことがない。
（Ａ５）前記ボトル本体及び前記プレート状収容部が、透明プラスチックによって形成されていること。
【００１４】
これら本発明のプラスチック製ボトルは、以下の構成を採用したプラスチック製ボトルの製造方法により製造することができる。
（Ｂ１）エア吹き込み口を左右一方端に形成すると共に、該エア吹き込み口の軸線と中心を一致させて前記ボトル本体の外形に対応する本体部キャビティと、該本体部キャビティの一方に連続し、前記プレート状収容部の外形に対応する平板状キャビティとを備えた成形用金型を用いてダイレクトブロー成形法によって製造すること。
【００１５】
また、本発明のプラスチック製ボトルの製造方法は、さらに、以下の構成をも備えるとよい。
（Ｂ２）前記成形用金型として、前面又は背面の少なくとも一方を入れ子金型とした金型を用いること。
【００１６】
これら本発明のプラスチック製ボトルの製造方法によれば、上述した様な内容物に関する情報と共に提供することができ、かつ、情報との入れ違いの生じないボトルを製造するに当たって、別々に製造したパーツ同士を接合する必用がない。また、（Ｂ２）の構成をも備える製造方法とすることにより、プレート状収容部に対して彫刻による情報の記入をする際に、入れ子の部分を取り替えることで情報の変更を容易に行うことができる。
【発明の効果】
【００１７】
本発明によれば、プレート状収容部内容物に関する効能、連絡先等の情報を付して提供することができ、かつ、一部試用等した場合にも当該情報の入れ違いが起きない。また、本発明は、こうしたボトルであって陳列に適したプラスチック製ボトルを提供することもできる。そして、ブロー成形によって製造することができるので、製造工数を増加させない。
【図面の簡単な説明】
【００１８】
【図１】実施例１のプラスチック製ボトルの斜視図である。
【図２】実施例１のプラスチック製ボトルの六面図である。
【図３】実施例１のプラスチック製ボトルの断面図である。
【図４】実施例２のプラスチック製ボトルのブロー成形用金型の説明図である。
【図５】実施例２のプラスチック製ボトルのブロー成形用金型による成形例の斜視図である。
【図６】変形例の説明図である。
【図７】従来例の説明図である。
【発明を実施するための形態】
【００１９】
以下に、本発明を実施するための形態を、いくつかの実施例に基づいて説明する。
【実施例１】
【００２０】
実施例１のプラスチック製ボトル１０は、図１に示す様に、内容物を出し入れする口部１１に着脱可能なキャップ２１，２２を装着して香水、化粧水等の試供用液体を収納するためのものである。
【００２１】
図１〜図３に示す様に、プラスチック製ボトル１０は、口部１１の軸方向に伸びる様に形成された直方体形状のボトル本体１２と、ボトル本体１２から上方に向かって連続し、ボトル本体１２と連通した薄肉平板状中空部１３を構成する長方形のプレート状収容部１４とを備えている。
【００２２】
このプラスチック製ボトル１０において、ボトル本体１２は、平坦な底面１５を有し、プレート状収容部１４は底面１５に直交すると共に、右側面１６がボトル本体１２とプレート状収容部１４が面一となる平坦面で構成されている。また、プラスチック製ボトル１０の背面１７は、ボトル本体１１とプレート状収容部１４の背面同士が面一となる平坦面で構成されている。さらに、背面１７の縦横寸法を名刺サイズと一致させてある。
【００２３】
この結果、本実施例のプラスチック製ボトル１０によれば、プレート状収容部１４の前面又は背面に、内容物に関する効能、連絡先等の情報を印刷したり、貼付したり、彫刻したりすることができる。この結果、情報と分離することなくボトル１０を使用することができ、一部使用して陳列棚等に戻したり、鞄に保管したりしたときにも、プレート状収容部１４に記入されている情報が分離されず、情報の入れ違いが生じない。また、ボトル本体１２とプレート状収容部１４とを連通させているので、ダイレクトブロー成形によって一体成形することが可能となり、部品の接合等の作業なしに製造することができる。さらに、ボトル本体１２とプレート状収容部１４とが連通しているので、非対称形状であってもブロー成形時の内圧をプレート状収容部１４も受けるから金型形状を精度よく反映させることができる。
【００２４】
また、ボトル本体１２を下にしてプレート状収容部１４を直立させた状態にして陳列棚等に並べることができる。このとき、下側がボトル本体１２となるので、重心が低くなり、特に、内容物を収納することで安定した状態に置くことができる。
【００２５】
右側面１６も平坦であり、右側面１６を下にして口部１１を上にして直立させた状態に陳列することもできる。このとき、ボトル本体１２が前方へ突出したＬ字形形状を全体として備えているので、プレート状平板部１４は薄板状であるけれども、直立状態も安定させることができる。
【００２６】
さらに、背面１７を下にして安定して陳列することもでき、平坦な背面１７に名刺情報を印刷してサンプルボトル付き名刺とすることもできる。
【００２７】
なお、プラスチック製ボトル１０を、透明プラスチックによって成形すれば、内容物を目視確認できる状態とでき、内容物に色がついている場合にも、プレート状収容部１４は薄肉中空であるから、色が薄くなって裏面側に情報を付した場合もその視認性を損なうことがない。
【実施例２】
【００２８】
実施例２として、本発明のプラスチック製ボトルを成形するのに適するダイレクトブロー成形用の成形金型３０を説明する。
【００２９】
このブロー成形金型３０は、図４に示す様に、エア吹き込み口３１を左右一方端に形成すると共に、エア吹き込み口３１の軸線と中心を一致させてボトル本体の外形に対応する本体部キャビティ３２，３３と、背面側の本体部キャビティ３２に連続する平坦面で構成されたプレート状収容部の外形に対応する平板状キャビティ３４，３５とを備えている。
【００３０】
また、このブロー成型用成形用金型３０は、前面側のキャビティ３３，３５を入れ子金型４０に形成してある。
【００３１】
この結果、実施例２によれば、実施例１で説明した様なプラスチック製ボトルを、所定の情報４１〜４３を刻印した状態で提供することができ、入れ子金型４０を取り替えるだけで情報の変更を容易に行うことができる。
【００３２】
この実施例２の成形金型３０で、透明なプラスチックを用いて成形した成形例を図５に示す。
【００３３】
成形例１のプラスチック製ボトル５０は、背面側から文字情報を印刷し、液体を収容した様子である。プレート状収容部５４内に液面が形成され、涼しげなイメージの試供品ボトルとなる。
【００３４】
成形例２のプラスチック製ボトル６０は、背面側から着色や、名刺情報を印刷し、名刺として機能するボトルである。名刺交換の際にサンプルを別途渡すのではなく、名刺自体と一体化させて渡すことができるので、営業的効果が高く、斬新な名刺として機能させることができる。
【００３５】
以上、本発明の実施例を説明したが、本発明はこれらの実施例に限定されるものではなく、その要旨を逸脱しない範囲内で種々に実施することができる。
【００３６】
例えば、図６（Ａ），（Ｂ）に示す様に、プレート状収容部７４をボトル本体７１の中央に連続させたプラスチック製ボトル７０や、ボトル本体８１を直方体以外の形状としたプラスチック製ボトル８０として本発明を実施することもできる。
【産業上の利用可能性】
【００３７】
試供品等を提供するための小容量ボトル、小分けして持ち歩く携帯用の小容量ボトルとして利用することができ、名刺や陳列棚に備える説明付きのサンプルボトルなどとして利用することができる。
【符号の説明】
【００３８】
１０・・・プラスチック製ボトル
１１・・・口部
１２・・・ボトル本体
１３・・・薄肉平板状中空部
１４・・・プレート状収容部
１５・・・底面
１６・・・右側面
１７・・・背面
２１，２２・・・キャップ
３０・・・成形金型
３１・・・エア吹き込み口
３２・・・本体部キャビティ（背面側）
３３・・・本体部キャビティ（正面側）
３４・・・平板状キャビティ（背面側）
３５・・・平板状キャビティ（正面側）
４０・・・入れ子金型
４１〜４３・・・刻印する情報
５０・・・プラスチック製ボトル（成形例１）
６０・・・プラスチック製ボトル（成形例２）
７０・・・プラスチック製ボトル（変形例１）
８０・・・プラスチック製ボトル（変形例２）
【図１】
2014005068.tif 000003
【図２】
2014005068.tif 000004
【図３】
2014005068.tif 000005
【図４】
2014005068.tif 000006
【図５】
2014005068.tif 000007
【図６】
2014005068.tif 000008
【図７】
2014005068.tif 000009